(57)【要約】      （修正有）【課題】穀物貯留タンクの相対向する側板間に補強部材を掛架した穀物乾燥機において、端面に別部材のフランジを溶着しなくても前記補強部材に必要な強度を持たせることができる穀物乾燥機における穀物貯留タンクの補強構造を提供する。【解決手段】補強部材２１は、１枚の金属板を長手方向に沿って中央部を折曲げて形成され、前記中央部を稜部とする断面山形状の補強部材本体と、前記補強部材本体の両端に形成されるフランジ２４を有し、前記各フランジは、前記金属板の長手方向両端に前記中央部を中心に対称に設けられる一対のフランジ用曲げ代部を折曲げて形成され、前記各フランジ用曲げ代部の端面を突き合わせた突合せ部と、前記各フランジ用曲げ代部の端面を離間させた空間からなる係止部を有してなり、前記各フランジに形成される前記係止部の空間を利用して前記穀物貯留タンクの相対向する側板間に前記補強部材を掛架することを特徴とする。【選択図】図３
2022000599.tif 000002
【特許請求の範囲】
【請求項１】
穀物乾燥部に上載して枡形の穀物貯留タンクを設け、前記穀物乾燥部下方の集穀部底部に横設する下部スクリューコンベアと前記穀物貯留タンク上部に横設する上部スクリューコンベアとを連絡するバケットエレベータを立設してなる穀物乾燥機であって、前記穀物貯留タンクの相対向する側板間に補強部材を掛架した穀物乾燥機において、
前記補強部材は、１枚の金属板を長手方向に沿って中央部を折曲げて形成され、前記中央部を稜部とする断面山形状の補強部材本体と、前記補強部材本体の両端に形成されるフランジを有し、
前記各フランジは、前記金属板の長手方向両端に前記中央部を中心に対称に設けられる一対のフランジ用曲げ代部を折曲げて形成され、前記各フランジ用曲げ代部の端面を突き合わせた突合せ部と、前記各フランジ用曲げ代部の端面を離間させた空間からなる係止部を有してなり、
前記各フランジに形成される前記係止部の空間を利用して前記穀物貯留タンクの相対向する側板間に前記補強部材を掛架することを特徴とする穀物乾燥機における穀物貯留タンクの補強構造。
【請求項２】
前記係止部は、前記突合せ部の下方に形成される係止用溝であり、
前記各フランジに形成される前記係止用溝を利用して前記穀物貯留タンクの相対向する側板間に前記補強部材を掛架する請求項１記載の穀物乾燥機における穀物貯留タンクの補強構造。
【請求項３】
前記各フランジに形成される前記係止用溝を前記穀物貯留タンクの側板内面に設けられる係止片に係止して、前記穀物貯留タンクの相対向する側板間に前記補強部材を掛架する請求項２記載の穀物乾燥機における穀物貯留タンクの補強構造。
【請求項４】
前記係止部は、前記突合せ部の上下方向中間位置に形成される係止用開口であり、
前記各フランジに形成される前記係止用開口を利用して前記穀物貯留タンクの相対向する側板間に前記補強部材を掛架する請求項１記載の穀物乾燥機における穀物貯留タンクの補強構造。
【請求項５】
前記各フランジに形成される前記係止用開口を前記穀物貯留タンクの側板内面に設けられる係止片に係止して、前記穀物貯留タンクの相対向する側板間に前記補強部材を掛架する請求項４記載の穀物乾燥機における穀物貯留タンクの補強構造。
【請求項６】
前記各フランジに設けられる前記係止用開口の内側から前記穀物貯留タンクの側板に設けられる開口の外側に向けて楔受け部材を嵌入し、前記穀物貯留タンクの側板外面に突出する前記楔受け部材の空間に楔部材を差し込んで、前記穀物貯留タンクの相対向する側板間に前記補強部材を掛架する請求項４記載の穀物乾燥機における穀物貯留タンクの補強構造。
【請求項７】
前記補強部材は、さらに、前記金属板の長手方向両側縁に設けられる補強用曲げ代部をそれぞれ内方へ折曲げて補強縁部とする請求項１乃至６のいずれかに記載の穀物乾燥機における穀物貯留タンクの補強構造。
【発明の詳細な説明】
【技術分野】
【０００１】
本発明は穀物乾燥機に係り、特に、穀物乾燥機における穀物貯留タンクの補強構造に関する。
【背景技術】
【０００２】
従来、この種の循環式の穀物乾燥機においては、穀物乾燥部の下方底部に集穀部を、前記穀物乾燥部に上載して貯留タンクを、それぞれ設け、前記集穀部と前記貯留タンクとを接続するバケットエレベータを立設して構成されるが、複数の側板によって形成される枡形の貯留タンクを補強するため、該貯留タンクの対向する前記側板間には上下方向に、かつ、縦横に複数の補強ステーが掛け渡される。
【０００３】
前記補強ステーの一例として、断面が逆Ｕ字状又は山形となるよう鋼板を折曲し、その端面にフランジを溶着してなるものが特許文献１に記載されている。特許文献１に記載の補強ステーは、前記フランジを利用して貯留タンク内壁面に設けた留金具に係止して取り付けられるが、前記フランジにより該補強ステーの強度を向上させることができる。
【０００４】
しかしながら、前記フランジ溶着による前記補強ステーの補強は、溶接工程を必要とし、工数と製造コストのアップにつながっていた。
【先行技術文献】
【特許文献】
【０００５】
【特許文献１】実開昭５７−２４９９７号公報
【発明の概要】
【発明が解決しようとする課題】
【０００６】
本発明は前記問題点にかんがみ、穀物貯留タンクの相対向する側板間に補強部材を掛架した穀物乾燥機において、端面に別部材のフランジを溶着しなくても前記補強部材に必要な強度を持たせることができる穀物乾燥機における穀物貯留タンクの補強構造を提供することを目的とする。
【課題を解決するための手段】
【０００７】
上記目的を達成するため、本発明の穀物乾燥機における穀物貯留タンクの補強構造は、
穀物乾燥部に上載して枡形の穀物貯留タンクを設け、前記穀物乾燥部下方の集穀部底部に横設する下部スクリューコンベアと前記穀物貯留タンク上部に横設する上部スクリューコンベアとを連絡するバケットエレベータを立設してなる穀物乾燥機であって、前記穀物貯留タンクの相対向する側板間に補強部材を掛架した穀物乾燥機において、
前記補強部材は、１枚の金属板を長手方向に沿って中央部を折曲げて形成され、前記中央部を稜部とする断面山形状の補強部材本体と、前記補強部材本体の両端に形成されるフランジを有し、
前記各フランジは、前記金属板の長手方向両端に前記中央部を中心に対称に設けられる一対のフランジ用曲げ代部を折曲げて形成され、前記各フランジ用曲げ代部の端面を突き合わせた突合せ部と、前記各フランジ用曲げ代部の端面を離間させた空間からなる係止部を有してなり、
前記各フランジに形成される前記係止部の空間を利用して前記穀物貯留タンクの相対向する側板間に前記補強部材を掛架することを特徴とする。
【０００８】
本発明は、
前記係止部が、前記突合せ部の下方に形成される係止用溝であり、
前記各フランジに形成される前記係止用溝を利用して前記穀物貯留タンクの相対向する側板間に前記補強部材を掛架することが好ましい。
【０００９】
本発明は、
前記各フランジに形成される前記係止用溝を前記穀物貯留タンクの側板内面に設けられる係止片に係止して、前記穀物貯留タンクの相対向する側板間に前記補強部材を掛架することが好ましい。
【００１０】
本発明は、
前記係止部が、前記突合せ部の上下方向中間位置に形成される係止用開口であり、
前記各フランジに形成される前記係止用開口を利用して前記穀物貯留タンクの相対向する側板間に前記補強部材を掛架することが好ましい。
【００１１】
本発明は、
前記各フランジに形成される前記係止用開口を前記穀物貯留タンクの側板内面に設けられる係止片に係止して、前記穀物貯留タンクの相対向する側板間に前記補強部材を掛架することが好ましい。
【００１２】
本発明は、
前記各フランジに設けられる前記係止用開口の内側から前記穀物貯留タンクの側板に設けられる開口の外側に向けて楔受け部材を嵌入し、前記穀物貯留タンクの側板外面に突出する前記楔受け部材の空間に楔部材を差し込んで、前記穀物貯留タンクの相対向する側板間に前記補強部材を掛架することが好ましい。
【００１３】
本発明は、
前記補強部材が、さらに、前記金属板の長手方向両側縁に設けられる補強用曲げ代部をそれぞれ内方へ折曲げて補強縁部とすることが好ましい。
【発明の効果】
【００１４】
本発明は、前記補強部材が、１枚の金属板を長手方向に沿って中央部を折曲げて形成され、前記中央部を稜部とする断面山形状の補強部材本体と、前記補強部材本体の両端に形成されるフランジを有し、前記各フランジが、前記金属板の長手方向両端に前記中央部を中心に対称に設けられる一対のフランジ用曲げ代部を折曲げて形成され、前記各フランジ用曲げ代部の端面を突き合わせた突合せ部と、前記各フランジ用曲げ代部の端面を離間させた空間からなる係止部を有してなり、前記各フランジに形成される前記係止部の空間を利用して前記穀物貯留タンクの相対向する側板間に前記補強部材を掛架するので、前記各フランジは、前記補強部材が前記穀物貯留タンク内を流下する穀物の荷重を受けて、前記突合せ部により前記一対のフランジ用曲げ代部が一体化される。
したがって、本発明によれば、端面に別部材のフランジを溶着しなくても、１枚の金属板を曲げ加工するだけで前記補強部材に必要な強度を持たせることができる。
【００１５】
本発明は、
前記補強部材が、さらに、前記金属板の長手方向両側縁に設けられる補強用曲げ代部をそれぞれ内方へ折曲げて補強縁部とすることとすれば、前記補強部材の強度を高めることができる。
【図面の簡単な説明】
【００１６】
【図１】本発明の実施態様における穀物乾燥機の全体斜視図である。
【図２】図１の穀物乾燥機の正面断面図である。
【図３】本発明の実施形態における補強ステーの斜視図である。
【図４】図３の補強ステーを形成する金属板の説明図である。
【図５】図３の補強ステーの正面図である。
【図６】図３の補強ステーの側面図である。
【図７】図６のＡ−Ａ断面図である。
【図８】図３の補強ステーを穀物貯留タンクの側板内面に係止する例の説明図である。
【図９】本発明の他の実施形態における補強ステーの正面図である。
【図１０】図９の補強ステーを穀物貯留タンクの側板内面に取付ける例の説明図である。
【発明を実施するための形態】
【００１７】
本発明の実施の形態について説明する。
図１は本発明の実施態様における穀物乾燥機の全体斜視図を示す。図２は図１の穀物乾燥機の正面断面図を示す。
本発明の実施態様における穀物乾燥機１は、下部の穀物乾燥部３と該穀物乾燥部３に上載する穀物貯留タンク２とからなり、前記穀物乾燥部３内部には中央部に、前後方向にわたって熱風室４が形成され、該熱風室４の両側には該熱風室４を挟んで一対の排風室５を設け、これら熱風室４と排風室５との間に、その上部を前記穀物貯留タンク２と接続する一対の穀物乾燥室６を形成する。前記熱風室４の前端面は熱風発生装置としてのバーナ（図示せず）に接続され、前記バーナによって生成される熱風が前記熱風室４内に供給される。前記穀物乾燥室６は多孔壁（スクリーン）によって形成され、前記熱風室４内の熱風が前記穀物乾燥室６を通過して前記排風室５内に流入し、後述する排風機によって機外へ排風されるよう構成される。
【００１８】
前記穀物乾燥部３の前面壁には前記バーナを内蔵するバーナボックス８を配設する一方、前記穀物乾燥部３の背面壁には前記排風室５の後端面の一対の排風口１４を覆うようにファンボックス１５を設け、該ファンボックス１５の中央部には排風機（図示せず）を取り付ける。また、前記バーナボックス８内には、制御部を内蔵するコントロールボックス（図示せず）を収納し、その前面側のカバー体８ａには前記コントロールボックスと電気的に接続された液晶タッチパネル等からなる操作部７が設けられる。
【００１９】
前記バーナボックス８の一側に近接してバケットエレータ９を立設する。該バケットエレベータ９は、前記穀物乾燥室６を通過した穀物を前記穀物貯留タンク２内に揚穀するものである。
前記穀物乾燥室６の下端部には該穀物乾燥室６内の穀物を順次流下させるために間歇駆動するロータリバルブ１１が横設され、前記穀物乾燥部３の底部には前記ロータリバルブ１１から落下する穀物を受ける集穀ホッパ１２を設け、該集穀ホッパ１２の中央部には下部スクリューコンベア１３を横設する。該下部スクリューコンベア１３の搬送終端部と前記バケットエレベータ９の供給口との間にはこれらを連絡する接続樋１０を設ける。
【００２０】
前記バケットエレベータ９の上部には該バケットエレベータ９を駆動するためのモータ９ａを設けるとともに、その吐出部は、前記穀物貯留タンク２の天板部に横設する上部スクリューコンベア１９に接続される。該上部スクリューコンベア１９の搬送終端部には穀物を前記穀物貯留タンク２内に均等に投入するための回転分散盤１６が回転可能に垂設される。
【００２１】
図３は本発明の実施形態における補強ステーの斜視図を示す。図４は図３の補強ステーを形成する金属板の説明図を示す。図５は図３の補強ステーの正面図であって前記補強ステーを端面側から見た図を示す。図６は図３の補強ステーの側面図を示す。図７は図６のＡ−Ａ断面図を示す。
本発明の実施形態における穀物乾燥機１において、前記穀物貯留タンク２の相対向する側板間には補強ステー２１が掛架される。
前記補強ステー２１は、図４に示す長方形鋼板等からなる１枚の金属板Ｂを折曲げ加工して形成される。
【００２２】
図３乃至図７に示すように、前記補強ステー２１は、１枚の前記金属板Ｂを長手方向に沿って中央部ａを折曲げて形成され、前記中央部ａを稜部とする断面山形状の補強ステー本体２２と、前記補強ステー本体２２の両端に形成される一対のフランジ２４を有する。
【００２３】
前記金属板Ｂの長手方向両端には、図４に示すように前記中央部ａを中心に対称的に一対のフランジ用曲げ代部ｂが設けられる。
前記各フランジ２４は、前記各フランジ用曲げ代部ｂを折曲げて形成され、図５に示すように、前記各フランジ用曲げ代部ｂの端面を突き合わせた突合せ部２５と、前記突合せ部２５の下方に形成した前記各フランジ用曲げ代部ｂの端面を離間させた空間からなる係止用溝２６を有する。
【００２４】
前記金属板Ｂの長手方向両側縁には、図４に示すようにさらに補強用曲げ代部ｃが設けられる。
前記補強ステー２１は、図５及び図７に示すように前記各補強用曲げ代部ｃを前記補強ステー本体２２の内方へ折曲げて補強縁部２８とすることができる。
【００２５】
図８は図３の補強ステーを穀物貯留タンクの側板内面に係止する例の説明図であって、前記補強ステーを図５のＤ−Ｄ断面から見た図を示す。
前記穀物貯留タンク２の側板２ａ内面には、前記補強ステー２１のフランジ２４に形成される前記係止用溝２６を係止する係止片３１が設けられる。
前記係止片３１は、前記穀物貯留タンク２の側板２ａに設けられる開口に対し、前記側板２ａの内面側に頭部３２ａが臨むよう段付きボルト３２を挿通し、前記側板２ａの外面側に突出するネジ部３２ｂにナット３３を螺合させることで形成される。
【００２６】
前記補強ステー２１は、前記各フランジ２４に形成される前記係止用溝２６を前記穀物貯留タンク２の側板２ａ内面に設けられる前記係止片３１の溝内に上方から係止することで、前記穀物貯留タンク２の相対向する側板２ａ間に掛架することができる。
【００２７】
本発明の実施形態における穀物貯留タンクの補強構造は、前記補強ステー２１が、１枚の金属板Ｂを長手方向に沿って中央部ａを折曲げて形成され、前記中央部ａを稜部とする断面山形状の補強ステー本体２２と、前記補強ステー本体２２の両端に形成されるフランジ２４を有し、前記各フランジ２４が、前記金属板Ｂの長手方向両端に前記中央部ａを中心に対称的に設けられる一対のフランジ用曲げ代部ｂを折曲げて形成され、前記各フランジ用曲げ代部ｂの端面を突き合わせた突合せ部２５と、前記各フランジ用曲げ代部ｂの端面を離間させた空間からなる前記突合せ部２５の下方に形成した係止用溝２６を有してなり、前記各フランジ２４に形成される前記係止用溝２６を前記穀物貯留タンク２の側板２ａ内面に設けられる係止片に係止して、前記穀物貯留タンク２の相対向する側板２ａ間に前記補強ステー２１を掛架するので、前記各フランジ２４は、前記補強ステー２１が前記穀物貯留タンク２内を流下する穀物の荷重を受けて、前記突合せ部２５により前記一対のフランジ用曲げ代部ｂが一体化される。
したがって、本発明の実施形態によれば、端面に別部材のフランジを溶着しなくても、１枚の金属板Ｂを曲げ加工するだけで前記補強ステー２１に必要な強度を持たせることができる。
【００２８】
また、本発明の実施形態によれば、前記補強ステー２１が、さらに、前記金属板Ｂの長手方向両側縁に設けられる補強用曲げ代部ｃをそれぞれ内方へ折曲げて補強縁部２８とすることができるので、前記補強ステー２１の強度を高めることができる。
【００２９】
図９は本発明の他の実施形態における補強ステーの正面図であって前記補強ステーを端面側から見た図を示す。
図９に示す補強ステー４１は、前記補強ステー本体４２の両端に形成される一対のフランジ４４が、１枚の金属板Ｂの長手方向両端に設けられる各フランジ用曲げ代部ｂの端面を突き合わせた突合せ部４５と、前記突合せ部４５の上下方向中間位置に形成した前記各フランジ用曲げ代部ｂの端面を離間させた空間からなる係止用開口４６を有する。
前記補強ステー４１の他の構成については、図３乃至図８に記載した補強ステー２１と同様のため、ここでの説明は省略する。
【００３０】
図１０は図９の補強ステーを穀物貯留タンクの側板内面に取付ける例の説明図であって、前記補強ステーを図９のＥ−Ｅ断面から見た図を示す。
前記補強ステー４１は、楔受け具５１と楔部材５３を利用して前記穀物貯留タンク２の側板２ａ内面に取付けることができる。
前記補強ステー４１は、前記各フランジ４４に形成した前記係止用開口４６の内側から前記穀物貯留タンク２の側板２ａに設けられる開口の外側に向けて前記楔受け具５１を嵌入し、前記穀物貯留タンク２の側板２ａ外面に突出する前記楔受け具５１の空間に前記楔部材５３を差し込むことで、前記穀物貯留タンク２の相対向する側板２ａ間に掛架することができる。
【００３１】
また、前記補強ステー４１は、図８に示すように、前記各フランジ４４に形成される前記係止用開口４６を前記穀物貯留タンク２の側板２ａ内面に設けられる係止片３１に係止することで、前記穀物貯留タンク２の相対向する側板２ａ間に掛架することもできる。
その場合、前記係止片３１は、前記係止用開口４６を安定して係止できる形状とすればよい。
【００３２】
本発明の他の実施形態における穀物貯留タンクの補強構造によっても、前記各フランジ４４は、前記補強ステー４１が前記穀物貯留タンク２内を流下する穀物の荷重を受けて、前記突合せ部４５により前記一対のフランジ用曲げ代部ｂが一体化される。
したがって、本発明の他の実施形態によっても、端面に別部材のフランジを溶着しなくても、１枚の金属板Ｂを曲げ加工するだけで前記補強ステー４１に必要な強度を持たせることができる。
【００３３】
以上、本発明の実施の形態について説明したが、本発明は、上記実施の形態に限定されるものでなく、発明の範囲を逸脱しない限りにおいて、その構成を適宜変更することができる。
【産業上の利用可能性】
【００３４】
本発明は、穀物貯留タンクの相対向する側板間に補強部材を掛架した穀物乾燥機において、端面に別部材のフランジを溶着しなくても補強部材に必要な強度を持たせることができるものであり、極めて有用である。
【符号の説明】
【００３５】
１      穀物乾燥機
２      穀物貯留タンク
２ａ      側板
３      穀物乾燥部
４      熱風室
５      排風室
６      穀物乾燥室
７      操作部
８      バーナボックス
８ａ      カバー体
９      バケットエレベータ
９ａ      モータ
１０      接続樋
１１      ロータリバルブ
１２      集穀ホッパ
１３      下部スクリューコンベア
１４      排風口
１５      ファンボックス
１６      回転分散盤
１９      上部スクリューコンベア
２１      補強ステー（補強部材）
２２      補強ステー本体
２４      フランジ
２５      突合せ部
２６      係止用溝（係止部）
２８      補強縁部
３１      係止片
３２      ボルト
３２ａ      頭部
３２ｂ      ネジ部
３３      ナット
４１      補強ステー（補強部材）
４２      補強ステー本体
４４      フランジ
４５      突合せ部
４６      係止用開口（係止部）
５１      楔受け具
５３      楔部材
Ｂ      金属板
ａ      中央部
ｂ      フランジ用曲げ代部
ｃ      補強用曲げ代部
【図１】
2022000599.tif 000003
【図２】
2022000599.tif 000004
【図３】
2022000599.tif 000005
【図４】
2022000599.tif 000006
【図５】
2022000599.tif 000007
【図６】
2022000599.tif 000008
【図７】
2022000599.tif 000009
【図８】
2022000599.tif 000010
【図９】
2022000599.tif 000011
【図１０】
2022000599.tif 000012